(57)【特許請求の範囲】
【請求項１】
互いに対向する前面部及び後面部と、互いに対向する上面部及び下面部と、互いに対向する２つの側面部とを画成し、前記前面部及び前記上面部の少なくとも一部を開放及び閉鎖可能にするシャッターと、該シャッターを移動可能に保持する前記側面部の各々に配設されたガイドレールとを備えるシャッター付き収容装置であって、
前記後面部に配設された弾性を備える弾性部材と、
前記シャッターに取り付けられた前記弾性部材と係合可能な開放係合部材と、
前記シャッターの開放及び閉鎖方向において開放方向の側に前記開放係合部材から所定の間隔離間して前記シャッターに取り付けられた、前記弾性部材と係合可能な閉鎖係合部材とを備え、
前記弾性部材は、前記開放係合部材と前記閉鎖係合部材との間であって、前記シャッターの移動に伴う前記開放係合部材及び前記閉鎖係合部材の各々の軌道に交差して前記２つの側面部の間に掛け渡されており、
前記開放係合部材は、前記シャッターの閉鎖方向側から前記弾性部材と係合可能となっており、
前記閉鎖係合部材は、前記シャッターの開放方向側から前記弾性部材に係合可能となっていることを特徴とするシャッター付き収容装置。
【請求項２】
前記開放係合部材は、前記弾性部材を収容可能な前記シャッターの閉鎖方向に凹む凹部を備えるフック状の係合爪であり、
前記閉鎖係合部材は、前記弾性部材を収容可能な前記シャッターの開放方向に凹む凹部を備えるフック状の係合爪であることを特徴とする請求項１記載のシャッター付き収容装置。
【請求項３】
前記後面部において前記弾性部材を前記シャッターとの間に挟む弾性部材ガイド部材を備えることを特徴とする請求項１又は２記載のシャッター付き収容装置。
【請求項４】
前記弾性部材はコイルバネであることを特徴とする請求項１乃至３のいずれか１項記載のシャッター付き収容装置。
【請求項５】
前記ガイドレールは、前記側面部の各々において、前記前面部の少なくとも一部、前記上面部、前記後面部、及び前記下面部の少なくとも一部に沿って延びていることを特徴とする請求項１乃至４のいずれか１項記載のシャッター付き収容装置。
【請求項６】
前記２つの側面部の間において、板状に延びる棚板を少なくとも１つ備えることを特徴とする請求項１乃至５のいずれか１項記載のシャッター付き収容装置。
【発明の詳細な説明】
【技術分野】
【０００１】
本発明は、シャッター付き収容装置に関し、特に、商品等の物品を陳列するために用いられる物品陳列棚にシャッターが設けられたシャッター付き物品陳列棚に関する。
【背景技術】
【０００２】
スーパーマーケットやコンビニエンスストア等の店舗において、商品等の物品を陳列するために収容装置としての物品陳列棚が使用されている。従来の物品陳列棚には、その内部を開放及び閉鎖可能にするための扉として、フレームに設けられたガイドレールに沿って動くシャッターを備えるものがある。このような従来のシャッター付きの物品陳列棚には、シャッターの開閉操作を容易にしてシャッターの操作性を向上させるために、シャッターにコイルバネが設けられたものがある（例えば、特許文献１，２参照）。具体的には、コイルバネは、シャッターの後面部の端部を付勢可能に取り付けられており、シャッターが開放されている状態においてシャッターを閉鎖する方向に付勢し、シャッターが閉鎖されている状態においてシャッターを開放する方向に付勢するように構成されている。
【先行技術文献】
【特許文献】
【０００３】
【特許文献１】実開平０２−９８１９１号公報
【特許文献２】実開平０５−１０６９２号公報
【発明の概要】
【発明が解決しようとする課題】
【０００４】
しかしながら、従来のシャッター付き物品陳列棚においては、コイルバネが物品陳列棚の上面部又は下面部に進入すると、このコイルバネがシャッターと物品陳列棚の上面部との間又は下面部との間に噛み込み、シャッターが操作不能になる。このため、従来のシャッター付き物品陳列棚においては、シャッターのコイルバネが取り付けられている位置が、物品陳列棚の後面部においてのみ移動可能となるように、シャッターの可動範囲が限られている。このように、従来のシャッター付き物品陳列棚においては、シャッターの可動範囲が制限されており、物品陳列棚の上面部を開閉可能にするためには、物品陳列棚の前面部上部に後面部方向に傾斜する傾斜面を形成する必要があった。このため、物品陳列棚の物品の収容空間は小さくなっていた。
【０００５】
このように、従来のシャッター付き物品陳列棚においては、シャッターの開閉範囲を大きくするために、物品の収容空間を小さくする必要があった。
【０００６】
本発明は、上記課題に鑑みてなされたものであり、その目的は、シャッターの操作性の向上を図りつつ、また、物品の収容空間を最大限に保ちつつ、シャッターの開閉範囲を大きくすることができるシャッター付き収容装置を提供することにある。
【課題を解決するための手段】
【０００７】
上記目的を達成するために、本発明係るシャッター付き収容装置は、互いに対向する前面部及び後面部と、互いに対向する上面部及び下面部と、互いに対向する２つの側面部とを画成し、前記前面部及び前記上面部の少なくとも一部を開放及び閉鎖可能にするシャッターと、該シャッターを移動可能に保持する前記側面部の各々に配設されたガイドレールとを備えるシャッター付き収容装置であって、前記後面部に配設された弾性を備える弾性部材と、前記シャッターに取り付けられた前記弾性部材と係合可能な開放係合部材と、前記シャッターの開放及び閉鎖方向において開放方向の側に前記開放係合部材から所定の間隔離間して前記シャッターに取り付けられた、前記弾性部材と係合可能な閉鎖係合部材とを備え、前記弾性部材は、前記開放係合部材と前記閉鎖係合部材との間であって、前記シャッターの移動に伴う前記開放係合部材及び前記閉鎖係合部材の各々の軌道に交差して前記２つの側面部の間に掛け渡されており、前記開放係合部材は、前記シャッターの閉鎖方向側から前記弾性部材と係合可能となっており、前記閉鎖係合部材は、前記シャッターの開放方向側から前記弾性部材に係合可能となっていることを特徴とする。
【０００８】
本発明の一態様に係るシャッター付き収容装置において、前記開放係合部材は、前記弾性部材を収容可能な前記シャッターの閉鎖方向に凹む凹部を備えるフック状の係合爪であり、前記閉鎖係合部材は、前記弾性部材を収容可能な前記シャッターの開放方向に凹む凹部を備えるフック状の係合爪である。
【０００９】
本発明の一態様に係るシャッター付き収容装置は、前記後面部において前記弾性部材を前記シャッターとの間に挟む弾性部材ガイド部材を備える。
【００１０】
本発明の一態様に係るシャッター付き収容装置において、前記弾性部材はコイルバネである。
【００１１】
本発明の一態様に係るシャッター付き収容装置において、前記ガイドレールは、前記側面部の各々において、前記前面部の少なくとも一部、前記上面部、前記後面部、及び前記下面部の少なくとも一部に沿って延びている。
【００１２】
本発明の一態様に係るシャッター付き収容装置は、前記２つの側面部の間において、板状に延びる棚板を少なくとも１つ備える。
【発明の効果】
【００１３】
本発明に係るシャッター付き収容装置によれば、シャッターの操作性の向上を図りつつ、また、物品の収容空間を最大限に保ちつつ、シャッターの開閉範囲を大きくすることができる
【図面の簡単な説明】
【００１４】
【図１】本発明の実施の形態に係るシャッター付き収容装置の構成を概略的に示すための斜視図であり、シャッターが開放された状態を示している。
【図２】本発明の実施の形態に係るシャッター付き収容装置の構成を概略的に示すための斜視図であり、シャッターが閉鎖された状態を示している。
【図３】図１に示す状態におけるシャッター付き収容装置の右側面図である。
【図４】図２に示す状態におけるシャッター付き収容装置の右側面図である。
【図５】本発明の実施の形態に係るシャッター付き収容装置の後面部の構成を説明するための図であり、図５（ａ）は、シャッターが開放位置と閉鎖位置との中間に位置する状態におけるシャッター付き収容装置の部分透過背面図であり、図５（ｂ）は、図５（ａ）に示す後面部を左右方向に見た部分拡大断面図である。
【図６】本発明の実施の形態に係るシャッター付き収容装置の作用を説明するための図であり、図６（ａ）は、シャッターがシャッター中間位置から開放係合爪と閉鎖係合爪との間の間隔の半分の距離開放方向に移動された状態におけるシャッター付き収容装置の部分透過背面図であり、図６（ｂ）は、図６（ａ）に示す後面部を左右方向に見た部分拡大断面図である。
【図７】本発明の実施の形態に係るシャッター付き収容装置の作用を説明するための図であり、シャッターが開放位置に移動された状態におけるシャッター付き収容装置の部分透過背面図である。
【図８】本発明の実施の形態に係るシャッター付き収容装置の作用を説明するための図であり、図８（ａ）は、シャッターがシャッター中間位置から開放係合爪と閉鎖係合爪との間の間隔の半分の距離閉鎖方向に移動された状態におけるシャッター付き収容装置の部分透過背面図であり、図８（ｂ）は、図８（ａ）に示す後面部を左右方向に見た部分拡大断面図である。
【図９】本発明の実施の形態に係るシャッター付き収容装置の作用を説明するための図であり、シャッターが閉鎖位置に移動された状態におけるシャッター付き収容装置の部分透過背面図である。
【発明を実施するための形態】
【００１５】
以下、本発明の実施の形態について図面を参照しながら説明する。
【００１６】
図１は、本発明の実施の形態に係るシャッター付き収容装置の構成を概略的に示すための斜視図であり、シャッターが開放された状態を示している。図２は、本発明の実施の形態に係るシャッター付き収容装置の構成を概略的に示すための斜視図であり、シャッターが閉鎖された状態を示している。図３は、図１に示す状態におけるシャッター付き収容装置の右側面図であり、図４は、図２に示す状態におけるシャッター付き収容装置の右側面図である。本発明の実施の形態に係るシャッター付き収容装置においては、収容装置としての棚を備えており、棚は、例えば、商品等の物品を陳列するための物品陳列棚である。
【００１７】
図１に示すように、本発明の実施の形態に係るシャッター付き収容装置１は、互いに対向する前面部２及び後面部３と、互いに対向する上面部４及び下面部５と、互いに対向する右側面部６及び左側面部７とを画成し、前面部２及び上面部４において少なくとも部分的に広がる開口８を開放及び閉鎖可能にするシャッター１０と、シャッター１０を移動可能に保持する右側面部６及び左側面部７に夫々配設されたガイドレール２０，３０とを備える。
【００１８】
具体的には、シャッター付き収容装置１は、六面から成る空間を画成するフレーム体４０を備え、フレーム体４０が前面部２、後面部３、上面部４、下面部５、右側面部６、及び左側面部７を画成している。ここで、説明の便宜上、前面部２から後面部３に向かって右側を右とし、前面部２から後面部３に向かって左側を左とする。また、前面部２から後面部３に向かう方向を後方とし、後面部３から前面部２に向かう方向を前方とし、上面部４から下面部５に向かう方向を下方とし、下面部５から上面部４に向かう方向を上方とする。前後方向（図１の矢印ａ方向）と上下方向（図１の矢印ｂ方向）と左右方向（図１の矢印ｃ方向）とは、互いに直交している。
【００１９】
フレーム体４０は、図１に示すように、矩形の枠形状を呈する右側部フレーム４１と、矩形の枠形状を呈する左側部フレーム４２とを備える。右側部フレーム４１と左側部フレーム４２とは、シャッター付き収容装置１において、左右方向において、互いに対向しており、面対称な形状を有している。右側部フレーム４１は、中空筒状の下部フレーム４１ａと、中空筒状の前部フレーム４１ｂと、中空筒状の後部フレーム４１ｃと、中空筒状の上部フレーム４１ｄとを備える。左側部フレーム４２は、右側部フレーム４１と同様に、中空筒状の下部フレーム４２ａと、中空筒状の前部フレーム４２ｂと、中空筒状の後部フレーム４２ｃと、中空筒状の上部フレーム４２ｄとを備える。
【００２０】
右側部フレーム４１において、下部フレーム４１ａは、図１に示すように、下方において、前後方向に延びる部分であり、前部フレーム４１ｂは、下部フレーム４１ａの前方側の端部から立設された上下方向に延びる部分である。また、右側部フレーム４１において、後部フレーム４１ｃは、下部フレーム４１ａの後方側の端部から立設された上下方向に延びる部分であり、上部フレーム４１ｄは、前部フレーム４１ｂの上方側の端部と後部フレーム４１ｃの上方側の端部とを接続する前後方向に延びる部分である。
【００２１】
同様に、左側部フレーム４２において、下部フレーム４２ａは、図１に示すように、下方において、前後方向に延びる部分であり、前部フレーム４２ｂは、下部フレーム４２ａの前方側の端部から立設された上下方向に延びる部分である。また、左側部フレーム４２において、後部フレーム４２ｃは、下部フレーム４２ａの後方側の端部から立設された上下方向に延びる部分であり、上部フレーム４２ｄは、前部フレーム４２ｂの上方側の端部と後部フレーム４２ｃの上方側の端部とを接続する前後方向に延びる部分である。
【００２２】
本実施の形態において、下部フレーム４１ａ，４２ａ、前部フレーム４１ｂ，４２ｂ、後部フレーム４１ｃ，４２ｃ、及び上部フレーム４１ｄ，４２ｄは夫々、その延び方向に直交する面における断面形状が矩形である。なお、下部フレーム４１ａ，４２ａ、前部フレーム４１ｂ，４２ｂ、後部フレーム４１ｃ，４２ｃ、及び上部フレーム４１ｄ，４２ｄの各々の断面形状は、上述の矩形に限るものではなく、例えば円形等の他の形状であってもよい。
【００２３】
また、フレーム体４０は、図１に示すように、夫々右側部フレーム４１と左側部フレーム４２との間において左右方向に延びる中空筒状又は中空板状のキックボード４３と、下部連結フレーム４４と、上部連結フレーム４５とを備える。キックボード４３は、フレーム体４０における前方及び下方部分において右側部フレーム４１と左側部フレーム４２とを接続し、例えば、右側部フレーム４１の前部フレーム４１ｂの下方側の端部と、左側部フレーム４２の前部フレーム４２ｂの下方側の端部とに接続している。下部連結フレーム４４は、フレーム体４０における後方及び下方部分において右側部フレーム４１と左側部フレーム４２とを接続し、例えば、右側部フレーム４１の後部フレーム４１ｃの下方側の端部と、左側部フレーム４２の後部フレーム４２ｃの下方側の端部とに接続している。上部連結フレーム４５は、フレーム体４０における上方部分において右側部フレーム４１と左側部フレーム４２とを接続し、例えば、右側部フレーム４１の上部フレーム４１ｄと、左側部フレーム４２の上部フレーム４２ｄとに接続している。上部連結フレーム４５は、上部フレーム４１ｄ，４２ｄにおいて、いずれの場所に接続されていてもよく、例えば、前方側の端部と後方側の端部との間や、後方側の端部との間に接続されている。本実施の形態においては、上部連結フレーム４５は、上部フレーム４１ｄ，４２ｄにおいて、前方側の端部と後方側の端部との間の中央に接続されている。
【００２４】
ガイドレール２０は、図１に示すように、右側部フレーム４１の内側の面に設けられており、前部フレーム４１ｂの一部、上部フレーム４１ｄ、後部フレーム４１ｃ、及び下部フレーム４１ａの一部に亘って延びている。例えば、前部フレーム４１ｂのキックボード４３との結合部の直上から、前部フレーム４１ｂ、上部フレーム４１ｄ、後部フレーム４１ｃ、及び下部フレーム４１ａに沿って延びている。ガイドレール２０は、その延び方向に直交する面における断面形状が略コ字（Ｕ字）状であり、右側部フレーム４１の内側の面において、外側（右方向）に凹む溝を形成しており、後述するように、シャッター１０を移動可能に保持している。
【００２５】
ガイドレール３０は、ガイドレール２０と同様の形状を有しており、左側部フレーム４２の内側の面に設けられており、前部フレーム４２ｂの一部、上部フレーム４２ｄ、後部フレーム４２ｃ、及び下部フレーム４２ａの一部に亘って延びている。例えば、前部フレーム４２ｂのキックボード４３との結合部の直上から、前部フレーム４２ｂ、上部フレーム４２ｄ、後部フレーム４２ｃ、及び下部フレーム４２ａに沿って延びている。ガイドレール３０は、ガイドレール２０と同様の形状を有しており、その延び方向に直交する面における断面形状が略コ字（Ｕ字）状であり、左側部フレーム４２の内側の面において、外側（左方向）に凹む溝を形成しており、後述するように、シャッター１０を移動可能に保持している。
【００２６】
ガイドレール２０は、図１に示すように、前部フレーム４１ｂと上部フレーム４１ｄとの間、上部フレーム４１ｄと後部フレーム４１ｃとの間、及び後部フレーム４１ｃと下部フレーム４１ａとの間の移行部が夫々、滑らかな形状、例えば外側に向かって凸の円弧形状を呈して延びており、他の部分が直線状に延びている。同様に、ガイドレール３０は、前部フレーム４２ｂと上部フレーム４２ｄとの間、上部フレーム４２ｄと後部フレーム４２ｃとの間、及び後部フレーム４２ｃと下部フレーム４２ａとの間の移行部が夫々、滑らかな形状、例えば外側に向かって凸の円弧形状を呈して延びており、他の部分が直線状に延びている。このように、ガイドレール２０，３０は、直線状の部分の間が滑らかに接続されており、シャッター１０は、ガイドレール２０，３０に沿って滑らかに移動可能となっている。
【００２７】
フレーム体４０において、各フレーム４１ａ〜４１ｄ，４２ａ〜４２ｄ，４３〜４５は、例えば、鋼板を折曲加工して形成される。また、ガイドレール２０，３０は、例えば、右側部フレーム４１及び左側部フレーム４２とは別体として、鋼板を折曲加工して形成して、右側部フレーム４１及び左側部フレーム４２に夫々取り付けてもよく、または、下部フレーム４１ａ，４２ａ、前部フレーム４１ｂ，４２ｂ、後部フレーム４１ｃ，４２ｃ、及び上部フレーム４１ｄ，４２ｄを夫々折曲加工して一体的に形成されるようにしてもよい。
【００２８】
また、下部フレーム４１ａ，４２ａ、前部フレーム４１ｂ，４２ｂ、後部フレーム４１ｃ，４２ｃ、及び上部フレーム４１ｄ，４２ｄは、いずれの結合方法によって対応するフレームに結合されてよく、例えば、図示しない螺子が螺合されることにより互いに結合されるようにしてもよく、また、溶接や嵌合されることにより互いに結合されるようにしてもよい。また、キックボード４３、下部連結フレーム４４、及び上部連結フレーム４５も、いずれの結合方法によって右側部フレーム４１及び左側部フレーム４２に結合されてよく、例えば、図示しない螺子が螺合されることにより互いに結合されるようにしてもよく、また、溶接や嵌合されることにより互いに結合されるようにしてもよい。
【００２９】
また、ガイドレール２０，３０が右側部フレーム４１及び左側部フレーム４２とは別体として夫々形成される場合は、ガイドレール２０，３０は、いずれの方法によって右側部フレーム４１及び左側部フレーム４２に夫々取り付けられてもよく、例えば、図示しない螺子が螺合されることにより取り付けられるようにしてもよく、また、溶接や嵌合されることにより取り付けられるようにしてもよい。
【００３０】
フレーム体４０の下部には、図１に示すように、複数の接地アジャスター４６が取り付けられており、シャッター付き収容装置１は、接地アジャスター４６を介して、床面等の接地面上に置かれる。接地アジャスター４６は、従来公知の上下方向の高さを調整可能な構造を有しており、フレーム体４０の設置面からの高さを調整することができる。接地アジャスター４６は、例えば、右側部フレーム４１の下部フレーム４１ａ及び左側部フレーム４２の下部フレーム４２ａの夫々の下方の面に設けられている。
【００３１】
図２〜４に示すように、シャッター１０は、複数のシャッター片１１と、複数の連結軸１２とを備える。シャッター片１１及び連結軸１２は、例えば、ポリカーボネート等の樹脂材から形成されている。シャッター片１１は、長手方向の幅がフレーム体４０における右側部フレーム４１と左側部フレーム４２との間の距離に対応した、略矩形の板状の部材であり、長手側の端部において連結軸１２を介して、他のシャッター片１１の長手側の端部に連結されている。連結軸１２は、公知の構造により、各シャッター片１１が連結軸１２を回転軸として回動可能となるように、互いに隣接するシャッター片１１を連結している。このように、シャッター１０は、複数のシャッター片１１が連結軸１２を介して連結されて、シャッター片１１の短手方向に連なって形成されており、シャッター１０の長手方向の長さは、シャッター片１１の数によって設定されている。シャッター１０の短手側の端部の一方（開放方向側）がシャッター１０の前端部１３となり、シャッター１０の短手側の端部の他方（閉鎖方向側）がシャッター１０の後端部１４となる。図３，４に示すように、前端部１３及び後端部１４においても、各シャッター片１１には連結軸１２が取り付けられている。
【００３２】
連結軸１２は、シャッター片１１の長手方向長さよりも長く、シャッター１０において、連結軸１２の両端は、シャッター片１１の短手側の端部から所定の距離突出している。この突出する連結軸１２の両端は、シャッター付き収容装置１において、ガイドレール２０，３０の溝内を摺動可能にガイドレール２０，３０の溝内に収容されている。これにより、シャッター１０がガイドレール２０，３０に保持され、ガイドレール２０，３０に沿って移動可能になっている。シャッター片１１の長手方向の長さは、シャッター片１１の短手側の両端部がシャッター付き収容装置１においてガイドレール２０，３０の溝内に入り込まない長さに設定されている。
【００３３】
また、連結軸１２は、上述のように、シャッター片１１の短手側の端部から突出していないものであってもよい。この場合、シャッター片１１の長手方向の長さは、シャッター片１１の短手側の両端部がシャッター付き収容装置１においてガイドレール２０，３０の溝内に収容される長さに設定されている。シャッター片１１の短手側の両端部がガイドレール２０，３０の溝内を摺動可能にガイドレール２０，３０の溝内に収容され、これにより、シャッター１０がガイドレール２０，３０に保持され、ガイドレール２０，３０に沿って移動可能になっている。また、シャッター片１１の短手方向の長さは、シャッター片１１がガイドレール２０，３０の溝内を摺動可能な長さになっている。なお、この場合、シャッター１０の前端部１３及び後端部１４において、各シャッター片１１には連結軸１２が取り付けられていなくてもよい。
【００３４】
図１〜４に示すように、シャッター１０は、前端部１３がキックボード４３の上方側の面に当接する閉鎖位置（図２，４参照）から、前端部１３が上部フレーム４１ｄ，４２ｄ又は後部フレーム４１ｃ，４２ｃの範囲に位置する開放位置（図１，３参照）まで移動可能な長さに設定されている。シャッター１０が閉鎖位置に位置する状態において、後端部１４は後部フレーム４１ｃ，４２ｃ又は下部フレーム４１ａ，４２ａの範囲に位置し、シャッター１０が開放位置に位置する状態において、後端部１４は下部フレーム４１ａ，４２ａにおいて最も前方側に位置している。
【００３５】
このように、シャッター１０は、前面部２及び上面部４を少なくとも部分的に開放及び閉鎖可能になっており、本実施の形態においては、前面部２においてキックボード４３から上方及び上面部４の一部又は全てを開放及び閉鎖可能になっている。つまり、シャッター付き収容装置１において、前面部２におけるキックボード４３から上方及び上面部４の一部又は全てに亘る範囲が開口８となっており、この開口８を介して、外部から内部に進入可能になっている。
【００３６】
シャッター付き収容装置１は、図１に示すように、右側面部６及び左側面部７にサイドパネル４７ａ，４７ｂが夫々取り付けられており、また、後面部３に後部カバー４８が取り付けられている。サイドパネル４７ａ，４７ｂは、例えばアクリル材等から形成された板状の部材であり、右側部フレーム４１及び左側部フレーム４２に夫々取り付けられて、右側部フレーム４１及び左側部フレーム４２の空間を夫々閉鎖している。後部カバー４８は、例えば鋼板等から形成された板状の部材であり、後面部３において右側部フレーム４１及び左側部フレーム４２に取り付けられており、後面部３の空間を閉鎖している。後部カバー４８は、後部フレーム４１ｃ，４２ｃにおけるガイドレール２０，３０よりも前方側に取り付けられている。また、図１に示すように、シャッター付き収容装置１には、キックボード４３の上方側の端部から後方に向かって平面状に延びる底板４９が設けられている。
【００３７】
シャッター付き収容装置１は内部に収容装置を備えている。本実施の形態においては、シャッター付き収容装置１は内部に収容装置としての棚を備えており、より具体的には、物品を陳列するための物品陳列棚５０を備えている。物品陳列棚５０は、より具体的には商品陳列棚である。
【００３８】
物品陳列棚５０は、少なくとも１つの棚板５１を有しており、例えば３つの棚板５１を有している。棚板５１は、例えば、鋼板等から形成された板状に延びる部材であり、シャッター付き収容装置１の内部に上下方向に間隔をあけて配設されている。物品陳列棚５０は、例えば、一対の支柱５２を備える。支柱５２は、直線状に延びる筒状の部材であり、延び方向に直交する断面の形状が矩形である。支柱５２は、例えば、鋼板を折曲加工することにより形成されている。支柱５２の１つの側面には、複数の穴５２ａが等間隔に形成されている。
【００３９】
一対の支柱５２は、図１に示すように、穴５２ａの形成された面が前方を向くように、後面部３側において上下方向に立設されている。具体的には、一対の支柱５２の一方は、その上下側の端部が右側部フレーム４１の上部フレーム４１ｄと下部フレーム４１ａとに固定され、また、その後面部３側の面が右側部フレーム４１の後部フレーム４１ｃに固定されている。また、一対の支柱５２の他方は、その上下側の端部が左側部フレーム４２の上部フレーム４２ｄと下部フレーム４２ａとに固定され、また、その後面部３側の面が左側部フレーム４２の後部フレーム４２ｃに固定されている。支柱５２の固定は公知の方法でなされており、例えば螺子による螺合や溶接、嵌合等の方法によって固定されている。
【００４０】
棚板５１の短手側の両端部には、ブラケット５３が取り付けられており、ブラケット５３は、左右方向において対向する一対の支柱５２の穴５２ａの少なくともいずれか１組に係止可能な構造を有している。棚板５１は、ブラケット５３を介して一対の支柱５２に固定されている。ブラケット５３の構造は、公知のいずれの構造であってよい。
【００４１】
このように、シャッター付き収容装置１は、内部に物品陳列棚５０を備えており、シャッター１０を閉鎖することにより、物品陳列棚５０を外部空間から遮断することができる。また、シャッター１０を開放することにより、物品陳列棚５０は開口８を介して外部に開放され、外部からの物品陳列棚５０への接近が可能になる。
【００４２】
また、シャッター付き収容装置１は、後面部３に配設された弾性を備える弾性部材としてのコイルバネ６１と、シャッター１０に配設されたコイルバネ６１と係合可能な開放係合部材としての開放係合爪６２と、シャッター１０に配設されたコイルバネ６１と係合可能な閉鎖係合部材としての閉鎖係合爪６３とを備える。開放係合爪６２は閉鎖係合爪６３よりも開放方向側に配設されている。
【００４３】
図５は、本発明の実施の形態に係るシャッター付き収容装置１の後面部３の構成を説明するための図であり、図５（ａ）は、シャッター１０が開放位置と閉鎖位置との中間に位置する状態におけるシャッター付き収容装置１の部分透過背面図であり、図５（ｂ）は、図５（ａ）に示す後面部３を左右方向に見た部分拡大断面図である。図５（ａ）はシャッター１０を透過して示している。
【００４４】
図５（ａ）に示すように、コイルバネ６１は、後面部３において、左右方向に延びており、一端が右側部フレーム４１の後部フレーム４１ｃに、他端が左側部フレーム４２の後部フレーム４２ｃに接続されて、後部フレーム４１ｃと後部フレーム４２ｃとの間に掛け渡されているか又は張設されている。また、コイルバネ６１は、後述するように、開放係合爪６２と閉鎖係合爪６３との間であって、シャッター１０の移動に伴う開放係合爪６２及び閉鎖係合爪６３の各々の軌道に交差して掛け渡されている。コイルバネ６１の上下方向における位置は、後述するようにコイルバネ６１が開放係合爪６２及び閉鎖係合爪６３と係合可能となる位置であればいずれの位置であってもよいが、後部フレーム４１ｃ，４２ｃの上下方向において中央の位置が好ましい。また、図５（ｂ）に示すように、コイルバネ６１は、後面部３において、シャッター１０よりも前方に位置している。
【００４５】
図５（ａ），（ｂ）に示すように、開放係合爪６２及び閉鎖係合爪６３は、シャッター１０の左右方向の中央に設けられており、また、開放係合爪６２及び閉鎖係合爪６３は、シャッター１０の開放及び閉鎖方向（上下方向）において所定の間隔ｄだけ離間して配設されている。また、シャッター１０が開放位置と閉鎖位置との中間の位置（以下、シャッター中間位置ともいう。）に位置する状態において、コイルバネ６１が上下方向において開放係合爪６２と閉鎖係合爪６３との中間に位置するように、開放係合爪６２及び閉鎖係合爪６３はシャッター１０に位置決めされている。また、シャッター１０は、シャッター中間位置において、前面部２の側の自重と後面部３の側の自重とが釣り合うよう設計されている。
【００４６】
また、図５（ｂ）に示すように、開放係合爪６２は、後面部３において、シャッター１０の前方側の面に取り付けられて、閉鎖方向（上方）に凹む凹部６２ａを備えるフック状の係合爪である。開放係合爪６２は、凹部６２ａにコイルバネ６１の左右方向中央部を収容してコイルバネ６１と係合可能となっており、シャッター１０がシャッター中間位置から開放方向に所定の距離（ｄ／２）を移動されると、凹部６２ａは閉鎖方向側からコイルバネ６１を収容して係合するようになっている。更にシャッター１０を開放方向に移動すると、開放係合爪６２はコイルバネ６１を下方に引っ張り下方にたわませる。
【００４７】
また、図５（ｂ）に示すように、閉鎖係合爪６３は、後面部３において、シャッター１０の前面部２側の面に取り付けられて、開放方向（下方）に凹む凹部６３ａを備えるフック状の係合爪である。閉鎖係合爪６３は、凹部６３ａにコイルバネ６１の左右方向中央部を収容してコイルバネ６１と係合可能となっており、シャッター１０がシャッター中間位置から閉鎖方向に所定の距離（ｄ／２）を移動されると、凹部６３ａは開放方向側からコイルバネ６１を収容して係合するようになっている。更にシャッター１０を閉鎖方向に移動すると、閉鎖係合爪６３はコイルバネ６１を上方に引っ張り上方にたわませる。
【００４８】
シャッター１０が開放位置に位置する状態において、開放係合爪６２が後面部３に位置するように、シャッター１０、ガイドレール２０，３０、及び開放係合爪６２等は形状やサイズ、配設位置等が設定されており、また、シャッター１０が閉鎖位置に位置する状態において、閉鎖係合爪６３が後面部３に位置するように、シャッター１０、ガイドレール２０，３０、及び閉鎖係合爪６３等は形状やサイズ、配設位置等が設定されている。これにより、シャッター１０が開放位置又は閉鎖位置に位置する状態において、コイルバネ６１が下面部５又は上面部４に巻き込まれて、コイルバネ６１が下部連結フレーム４４又は上部連結フレーム４５等に噛み込まれてシャッター１０が移動不能になることを防止できる。
【００４９】
また、図５（ａ），（ｂ）に示すように、コイルバネ６１よりも前方側において、上下方向に延びる弾性部材ガイド部材としての筒状のコイルバネガイドフレーム６４が下部連結フレーム４４から上方に立設されている。コイルバネガイドフレーム６４は、上方側の端部が、例えば、上部フレーム４１ｄ，４２ｄの間において左右方向に延びる筒状の補助フレーム６５によって支持されている。コイルバネガイドフレーム６４は、コイルバネ６１に近接されており、後述するように、コイルバネ６１が上方又は下方にたわんだ際に、コイルバネ６１が前後方向に暴れることがないように、コイルバネ６１をシャッター１０との間に挟み、コイルバネ６１のガイドとして機能する。コイルバネガイドフレーム６４は、コイルバネ６１に当接されていてもよく、離間されていてもよい。また、コイルバネガイドフレーム６４は、開放係合爪６２及び閉鎖係合爪６３を収容する上下方向に延びる逃げ溝６４ａを備えている。この逃げ溝６４ａにより、開放係合爪６２及び閉鎖係合爪６３がコイルバネガイドフレーム６４に干渉することなく移動可能になっている。
【００５０】
シャッター付き収容装置１においては、シャッター１０が移動する際に、シャッター１０、開放係合爪６２、及び閉鎖係合爪６３が、フレーム体４０や、下部連結フレーム４４、上部連結フレーム４５、補助フレーム６５等に干渉することがないように形状やサイズ、配設位置が設定されている。
【００５１】
ついで、上述の構成を有するシャッター付き収容装置１の作用について説明する。
【００５２】
シャッター１０がシャッター中間位置（図５（ａ），（ｂ）参照）から開放方向（下方）に移動されると、開放係合爪６２及び閉鎖係合爪６３も共に開放方向に移動し、開放係合爪６２はコイルバネ６１に接近していき、閉鎖係合爪６３はコイルバネ６１から遠ざかっていく。そして、シャッター１０がシャッター中間位置から、開放係合爪６２と閉鎖係合爪６３との間の間隔ｄの半分の距離（ｄ／２）開放方向に移動された位置（以下、開放当接位置ともいう。）にシャッター１０が達すると、開放係合爪６２の凹部６２ａ内にコイルバネ６１が収容され、開放係合爪６２がコイルバネ６１と係合する（図６（ａ），（ｂ）参照）。
【００５３】
この状態から、シャッター１０が更に開放方向に移動されると、開放係合爪６２は、コイルバネ６１との係合状態を維持しながら下方に移動し、コイルバネ６１を引っ張り、コイルバネ６１を下方に向かってたわませる。コイルバネ６１は開放係合爪６２により引き伸ばされ、開放係合爪６２を介してシャッター１０に上方に向かう弾性力を発生する（図７参照）。この弾性力により、シャッター１０は閉鎖方向に付勢される。シャッター１０には、その後面部３における自重に抗してコイルバネ６１からの上向きの弾性力が作用するため、シャッター１０の自重によるシャッター１０を開放方向に付勢する力の一部又は前部が相殺され、シャッター１０の操作性が向上される。
【００５４】
シャッター１０が更に開放方向に移動されることにより、シャッター１０の自重によるシャッター１０を開放方向に付勢する力は大きくなっていくが、コイルバネ６１が更に引き伸ばされてコイルバネ６１のシャッター１０を閉鎖方向に付勢する力も大きくなっていく。このため、開放当接位置（図６（ａ），（ｂ）参照）よりもシャッター１０が開放方向に移動されている状態においては、コイルバネ６１の弾性力によりシャッター１０の良好な操作性が維持される。
【００５５】
シャッター１０が更に開放方向に移動され、シャッター１０が開放位置に到達すると（図７参照）、シャッター１０は、例えばガイドレール２０，３０若しくは右側部フレーム４１及び左側部フレーム４２に設けられている図示しないストッパーに当接し、シャッター１０は止まる。図７に示すように、シャッター１０が開放位置に位置する状態において、開放係合爪６２は、後面部３に位置している。一方、閉鎖係合爪６３は、シャッター１０の後端部１４近傍の一部と共に下面部５に位置している。また、開口８が開放される。
【００５６】
このように、開放係合爪６２がコイルバネ６１との係合を始めた開放当接位置から開放位置までの領域（以下、開放係合領域ともいう。）においてシャッター１０が開放方向に移動している間は、開放係合爪６２とコイルバネ６１とが係合して、コイルバネ６１が開放係合爪６２を介してシャッター１０を閉鎖方向に付勢し、シャッター１０の操作性の向上が図られている。
【００５７】
また、コイルバネ６１が開放係合爪６２によって引っ張られている際でも、コイルバネ６１は、シャッター１０とコイルバネガイドフレーム６４との間に挟まれているので、コイルバネ６１の暴れが抑制され、コイルバネ６１と開放係合爪６２との間の係合が解離されることの防止が図られている。
【００５８】
なお、開放係合領域においては、シャッター１０の自重によるシャッター１０を開放方向に付勢する力が、コイルバネ６１のシャッター１０を閉鎖方向に付勢する力と釣り合うか、または、コイルバネ６１のシャッター１０を閉鎖方向に付勢する力よりも大きくなるように、例えば開放係合爪６２の配設位置、コイルバネ６１のバネ定数やシャッター１０の重量等が設定されている。
【００５９】
開口８が開放された開放位置からシャッター１０を閉鎖方向に移動させる際には、シャッター１０の自重による開放方向への力に抗して、コイルバネ６１がシャッター１０を閉鎖方向に付勢しているため、シャッター１０を閉鎖方向へ動かす操作が容易になっている。シャッター１０が開放係合領域において閉鎖方向に移動している間は、開放係合爪６２とコイルバネ６１との係合により、シャッター１０の操作が容易になっている。シャッター１０が開放係合領域を閉鎖方向に移動するに連れて、上記シャッター１０の開放方向への移動の際とは逆に、シャッター１０の自重による開放方向への力は小さくなっていき、コイルバネ６１のシャッター１０を閉鎖方向に付勢する力も小さくなっていく。
【００６０】
シャッター１０が更に閉鎖方向に移動され、シャッター１０が開放係合領域を超えると（図６（ａ），（ｂ）参照）、開放係合爪６２とコイルバネ６１とは離間され、その間の係合は解かれて、コイルバネ６１によるシャッター１０への付勢はなくなる。
【００６１】
この状態から、更に閉鎖方向にシャッター１０が開放係合爪６２と閉鎖係合爪６３との間の間隔ｄだけ移動されるまで、コイルバネ６１は、引っ張られることなく無負荷の状態（初期状態）で、開放係合爪６２と閉鎖係合爪６３との間の空間に延びている。
【００６２】
シャッター１０が閉鎖方向に更に移動され、シャッター中間位置から開放係合爪６２と閉鎖係合爪６３との間の間隔ｄの半分の距離（ｄ／２）だけシャッター１０が閉鎖方向に移動された位置（以下、閉鎖当接位置ともいう。）にシャッター１０が達すると、閉鎖係合爪６３の凹部６３ａ内にコイルバネ６１が収容され、閉鎖係合爪６３が開放方向側からコイルバネ６１と係合する（図８（ａ），（ｂ）参照）。
【００６３】
閉鎖当接位置から、シャッター１０が更に閉鎖方向に移動されると、閉鎖係合爪６３は、コイルバネ６１との係合状態を維持しながら上方に移動し、コイルバネ６１を引っ張り、コイルバネ６１を上方に向かってたわませる（図９参照）。コイルバネ６１は閉鎖係合爪６３により引き伸ばされ、閉鎖係合爪６３を介してシャッター１０に下方に向かう弾性力を発生する。この弾性力により、シャッター１０は開放方向に付勢される。シャッター１０には、その前面部２における自重による閉鎖方向への力に抗してコイルバネ６１からの下向き（開放方向）の弾性力が作用するため、シャッター１０の自重によるシャッター１０を閉鎖方向に付勢する力の一部又は全部が相殺され、シャッター１０の操作性が向上される。
【００６４】
シャッター１０が更に閉鎖方向に移動されることにより、シャッター１０の自重によるシャッター１０を閉鎖方向に付勢する力は大きくなっていくが、コイルバネ６１が更に引き伸ばされてコイルバネ６１のシャッター１０を開放方向に付勢する力も大きくなっていく。このため、閉鎖当接位置（図８（ａ），（ｂ）参照）よりもシャッター１０が閉鎖方向に移動されている状態においては、コイルバネ６１の弾性力によりシャッター１０の良好な操作性が維持される。
【００６５】
シャッター１０が更に閉鎖方向に移動され、シャッター１０が閉鎖位置に到達すると（図９参照）、シャッター１０は、例えばガイドレール２０，３０若しくは右側部フレーム４１及び左側部フレーム４２に設けられている図示しないストッパーに当接し、シャッター１０は止まる。図９に示すように、シャッター１０が閉鎖位置に位置する状態において、閉鎖係合爪６３は、後面部３に位置している。一方、開放係合爪６２は、シャッター１０の前端部１３近傍の一部と共に上面部４に位置している。また、開口８が閉鎖される。
【００６６】
このように、閉鎖係合爪６３がコイルバネ６１との係合を始める閉鎖当接位置から閉鎖位置までの領域（以下、閉鎖係合領域ともいう。）においてシャッター１０が閉鎖方向に移動されている際は、閉鎖係合爪６３とコイルバネ６１とが係合して、コイルバネ６１が閉鎖係合爪６３を介してシャッター１０を開放方向に付勢し、シャッター１０の操作性の向上が図られている。
【００６７】
また、コイルバネ６１が閉鎖係合爪６３によって引っ張られている際においても、コイルバネ６１は、シャッター１０とコイルバネガイドフレーム６４との間に挟まれているので、コイルバネ６１の暴れが抑制され、コイルバネ６１と閉鎖係合爪６３との間の係合が解離されることの防止が図られている。
【００６８】
なお、閉鎖係合領域においては、シャッター１０の自重によるシャッター１０を閉鎖方向に付勢する力が、コイルバネ６１のシャッター１０を開放方向に付勢する力と釣り合うか、または、コイルバネ６１のシャッター１０を開放方向に付勢する力よりも大きくなるように、例えば閉鎖係合爪６３の配設位置、コイルバネ６１のバネ定数やシャッター１０の重量等が設定されている。
【００６９】
開口８が閉鎖された閉鎖位置からシャッター１０を開放方向に移動させる際には、シャッター１０の自重による閉鎖方向への力に抗して、コイルバネ６１がシャッター１０を開放方向に付勢しているため（図９参照）、シャッター１０を開放方向へ動かす操作が容易になっている。シャッター１０が閉鎖係合領域を開放方向に移動している間は、閉鎖係合爪６３とコイルバネ６１との係合により、シャッター１０の操作が容易になっている。シャッター１０が閉鎖係合領域を開放方向に移動するに連れて、上記シャッター１０の閉鎖方向への移動の際とは逆に、シャッター１０の自重による閉鎖方向への力は小さくなっていき、コイルバネ６１のシャッター１０を開放方向に付勢する力も小さくなっていく。
【００７０】
シャッター１０が更に開放方向に移動され、シャッター１０が閉鎖係合領域を超えると（図８（ａ），（ｂ）参照）、閉鎖係合爪６３とコイルバネ６１とは離間され、その間の係合は解かれて、コイルバネ６１によるシャッター１０への付勢はなくなる。
【００７１】
この状態から、更に開放方向にシャッター１０が開放係合爪６２と閉鎖係合爪６３との間の間隔ｄだけ移動されるまで、コイルバネ６１は、引っ張られることなく無負荷の状態（初期状態）で、開放係合爪６２と閉鎖係合爪６３との間の空間に延びている。
【００７２】
シャッター１０が開放方向に更に移動され、開放当接位置に達すると（図６（ａ），（ｂ）参照）、開放係合爪６２の凹部６２ａ内にコイルバネ６１が収容され、開放係合爪６２がコイルバネ６１と係合し、以降は上述のように作用する。
【００７３】
上述のように、シャッター付き収容装置１においては、シャッター１０が開放係合領域又は閉鎖係合領域において移動している際は、シャッター１０の自重によりシャッター１０を付勢する力に抗してコイルバネ６１がシャッター１０を付勢するため、シャッター１０の操作性が良好なものになっている。また、シャッター１０の閉鎖時及び開放時に発生するシャッター１０の衝突音が低減されている。
【００７４】
また、シャッター１０が、開放係合領域と閉鎖係合領域との間の領域において、つまり、シャッター中間位置から開放当接位置まで及びシャッター中間位置から閉鎖当接位置までの領域において、開放方向又は閉鎖方向に移動されている際は、コイルバネ６１は、開放係合爪６２及び閉鎖係合爪６３に係合しておらず、引っ張られることなく無負荷の状態となっている。このように、シャッター１０が、間隔ｄだけ離れた開放係合領域と閉鎖係合領域との間の領域において、開放方向又は閉鎖方向に移動されている際は、コイルバネ６１は開放方向又は閉鎖方向にたわんで延びることはなく、無負荷の初期状態となっている。
【００７５】
このように、シャッター付き収容装置１においては、シャッター１０が開放又は閉鎖される際に、間隔ｄのシャッター１０の移動距離の間は、コイルバネ６１が開放方向又は閉鎖方向にたわんで伸びることはない。このため、シャッター１０の閉鎖位置から開放位置への移動又は開放位置から閉鎖位置への移動の際に、コイルバネ６１の開放方向又は閉鎖方向へのたわみ量（伸び量）を、シャッター１０の移動距離よりも少なくすることができる。
【００７６】
このため、開口８の開放及び閉鎖方向の幅を大きくするために、シャッター１０の長手方向の寸法を長くして、また、物品の収容空間を最大限にして、開放位置においてシャッター１０の後端部１４側の一部が下面部５内に入り込むようなシャッター付き収容装置１であっても、シャッター１０の開閉移動においてコイルバネ６１に係合された開放係合爪６２及び閉鎖係合爪６３は後面部３内に留まるようにでき、シャッター１０の開閉移動によってコイルバネ６１が上面部４や下面部５に噛み込まれることを防止することができる。このように、シャッター１０の移動距離を低減させるために、シャッター付き収容装置１の画成領域（輪郭）を変形させる必要はなく、シャッター付き収容装置１の物品の収容空間を最大限に保つことができる。これにより、シャッター付き収容装置１の物品の収容空間を最大限に保ちつつ、シャッター１０の開閉範囲を大きくすることができる。
【００７７】
このように、本発明の実施の形態に係るシャッター付き収容装置１によれば、シャッター１０の操作性の向上を図りつつ、また、物品の収容空間を最大限に保ちつつ、シャッター１０の開閉範囲を大きくすることができる。
【００７８】
本発明の実施の形態に係るシャッター付き収容装置１においては、開放係合爪６２と閉鎖係合爪６３との間の間隔ｄを、シャッター１０の材質や重量、サイズに合わせて設定することにより、シャッター１０の開放方向及び閉鎖方向の操作性を一定に保つことができる。
【００７９】
以上、本発明の実施の形態について説明したが、本発明は上記本発明の実施の形態に限定されるものではなく、本発明の概念及び特許請求の範囲に含まれるあらゆる態様を含む。また、上述した課題及び効果の少なくとも一部を奏するように、各構成を適宜選択的に組み合わせてもよい。例えば、上記実施の形態における、各構成要素の形状、材料、配置、サイズ等は、本発明の具体的使用態様によって適宜変更され得る。
【００８０】
例えば、開放係合部材及び閉鎖係合部材は、上述の開放係合爪６２及び閉鎖係合爪６３に限るものではなく、上述のように、開放係合領域及び閉鎖係合領域において夫々コイルバネ６１と係合可能な形態であればよい。例えば、磁力によりフック状の係合部が飛び出す構成の係合爪を開放係合部材及び閉鎖係合部材としてもよい。この場合、コイルバネ６１は磁化されているものとする。
【００８１】
また、コイルバネ６１、開放係合爪６２、及び閉鎖係合爪６３を磁化し、コイルバネ６１が磁力により開放係合爪６２及び閉鎖係合爪６３を引き付けるようにしてもよい。これにより、コイルバネ６１と開放係合爪６２及び閉鎖係合爪６３との間の係合をより強固にすることができる。この場合、コイルバネガイドフレーム６４及び付随して補助フレーム６５を省略してもよい。
【００８２】
また、弾性部材は、上述のコイルバネ６１に限るものではなく、例えば、ゴム等であってもよい。また、弾性部材として、コイルバネ６１を２つ上下方向に離間して平行に設け、上方のコイルバネ６１に開放係合爪６２が開放係合領域において閉鎖方向側から係合し、下方のコイルバネ６１に閉鎖係合爪６３が閉鎖係合領域において開放方向側から係合するようにしてもよい。これにより、シャッター１０の長手方向の幅を大きくし、シャッター１０の移動距離が大きくなった場合であっても、開放係合爪６２と閉鎖係合爪６３との間の間隔ｄを広く設定することにより、コイルバネ６１の伸び量を低減して、上述と同様の効果を奏することができる。
【００８３】
また、シャッター付き収容装置１においては、コイルバネ６１、開放係合爪６２、及び閉鎖係合爪６３は、後面部３においてシャッター１０の後方側に設けられており、コイルバネガイドフレーム６４はシャッター１０より前方側に設けられているものとしたが、コイルバネ６１、開放係合爪６２、及び閉鎖係合爪６３は、後面部３においてシャッター１０の後方側に設けられており、コイルバネガイドフレーム６４はシャッター１０より後方側に設けられていてもよい。
【００８４】
また、フレーム体４０の形態は上述のものに限らず、また、物品陳列棚５０の形態も上述のものに限らない。例えば、支柱５２が設けられておらず、棚板５１は右側部フレーム４１及び左側部フレーム４２に固定されるようにしてもよい。シャッター付き収容装置１は、上述のような物品陳列棚５０を備えるものではなく、内部に棚板によって分離されていない１つの空間が形成された収容装置を備えるものであってもよい。
【符号の説明】
【００８５】
１  シャッター付き収容装置
２  前面部
３  後面部
４  上面部
５  下面部
６  右側面部
７  左側面部
８  開口
１０  シャッター
１１  シャッター片
１２  連結軸
１３  前端部
１４  後端部
２０，３０  ガイドレール
４０  フレーム体
４１  右側部フレーム
４１ａ，４２ａ  下部フレーム
４１ｂ，４２ｂ  前部フレーム
４１ｃ，４２ｃ  後部フレーム
４１ｄ，４２ｄ  上部フレーム
４２  左側部フレーム
４３  キックボード
４４  下部連結フレーム
４５  上部連結フレーム
４６  接地アジャスター
４７ａ，４７ｂ  サイドパネル
４８  後部カバー
４９  底板
５０  物品陳列棚
５１  棚板
５２  支柱
５２ａ  穴
５３  ブラケット
６１  コイルバネ
６２  開放係合爪
６２ａ，６３ａ  凹部
６３  閉鎖係合爪
６４  コイルバネガイドフレーム
６４ａ  逃げ溝
６５  補助フレーム
ｄ  間隔
【図１】
0006502144.tif 000002
【図２】
0006502144.tif 000003
【図３】
0006502144.tif 000004
【図４】
0006502144.tif 000005
【図５】
0006502144.tif 000006
【図６】
0006502144.tif 000007
【図７】
0006502144.tif 000008
【図８】
0006502144.tif 000009
【図９】
0006502144.tif 000010